(57)【要約】      （修正有）【課題】生体情報の受信側が、各々の生体情報検出センサが検出した生体情報を同一時刻に検出された生体情報として扱うことができる生体情報同期システムを提供する。【解決手段】第１生体情報を検出する生体情報検出部２１Ａと、動きを検出する第１加速度センサ２４Ａと、第１生体情報と第１動き情報とを情報処理装置に送信する無線通信部２６Ａとを備える第１生体情報検出センサ２０Ａと、第２生体情報を検出する生体情報検出部２１Ｂと、動きを検出する第２加速度センサ２４Ｂと、第２生体情報と第２動き情報とを情報処理装置に送信する無線通信部２６Ｂとを備える第２生体情報検出センサ２０Ｂと、第１動き情報及び第２動き情報に基づいて第１生体情報と第２生体情報とを同期させた状態でディスプレイに表示する表示制御部を備える情報処理装置と、を備える生体情報同期システムであることを特徴とする。【選択図】図２
2019024511.tif 000002
【特許請求の範囲】
【請求項１】
同一の生体に装着される第１生体情報検出センサと、第２生体情報検出センサと、情報処理装置と、を備えた生体情報同期システムにおいて、
前記第１生体情報検出センサは、
前記生体の第１生体情報を経時的に検出する第１生体情報検出部と、
前記生体の動きを経時的に検出する第１動き検出センサと、
前記第１生体情報検出部が検出した第１生体情報と前記第１動き検出センサが検出した第１動き情報とを前記情報処理装置に送信する第１送信部と、を備え、
前記第２生体情報検出センサは、
前記生体の第２生体情報を経時的に検出する第２生体情報検出部と、
前記生体の動きを経時的に検出する第２動き検出センサと、
前記第２生体情報検出部が検出した第２生体情報と前記第２動き検出センサが検出した第２動き情報とを前記情報処理装置に送信する第２送信部と、を備え、
前記情報処理装置は、
前記第１送信部が送信した前記第１生体情報及び前記第１動き情報、並びに、前記第２送信部が送信した前記第２生体情報及び前記第２動き情報を受信する受信部と、
ディスプレイと、
前記受信部が受信した前記第１動き情報及び前記第２動き情報に基づいて、前記受信部が受信した前記第１生体情報と前記第２生体情報とを同期させた状態で前記ディスプレイに表示する表示制御部と、を備える生体情報同期システム。
【請求項２】
前記第１生体情報検出センサは、前記第１生体情報検出部が検出した前記第１生体情報を記憶する第１生体情報記憶部と、前記第１動き検出センサが検出した第１動き情報を記憶する第１動き情報記憶部と、をさらに備え、
前記第２生体情報検出センサは、前記第２生体情報検出部が検出した前記第２生体情報を記憶する第２生体情報記憶部と、前記第２動き検出センサが検出した第２動き情報を記憶する第２動き情報記憶部と、をさらに備え、
前記第１送信部は、前記第１生体情報記憶部に記憶された前記第１生体情報と前記第１動き情報記憶部に記憶された前記第１動き情報とを、所定タイミングで前記情報処理装置に送信し、
前記第２送信部は、前記第２生体情報記憶部に記憶された前記第２生体情報と前記第２動き情報記憶部に記憶された前記第２動き情報とを、所定タイミングで前記情報処理装置に送信する請求項１に記載の生体情報同期システム。
【請求項３】
前記第１動き検出センサは、前記生体の加速度を経時的に検出する第１加速度センサであり、
前記第２動き検出センサは、前記生体の加速度を経時的に検出する第２加速度センサであり、
前記第１動き情報は、前記第１加速度センサが検出した第１加速度情報であり、
前記第２動き情報は、前記第２加速度センサが検出した第２加速度情報である請求項１又は２に記載の生体情報同期システム。
【請求項４】
同一の生体に装着される第１生体情報検出センサと、第２生体情報検出センサと、情報処理装置と、を備えた生体情報同期システムにおいて、
前記第１生体情報検出センサは、
前記生体の第１生体情報を経時的に検出する第１生体情報検出部と、
前記情報処理装置が送信した第１絶対時刻情報を受信する第１受信部と、
前記第１受信部が前記第１絶対時刻情報を受信した場合、カウントアップを開始する第１カウンタと、
前記第１生体情報検出部が検出した第１生体情報と前記第１受信部が受信した前記第１絶対時刻情報と前記第１カウンタがカウントアップした第１カウント情報とを前記情報処理装置に送信する第１送信部と、を備え、
前記第２生体情報検出センサは、
前記生体の第２生体情報を経時的に検出する第２生体情報検出部と、
前記情報処理装置が送信した第２絶対時刻情報を受信する第２受信部と、
前記第２受信部が前記第２絶対時刻情報を受信した場合、カウントアップを開始する第２カウンタと、
前記第２生体情報検出部が検出した第２生体情報と前記第２受信部が受信した前記第２絶対時刻情報と前記第２カウンタがカウントアップした第２カウント情報とを前記情報処理装置に送信する第２送信部と、を備え、
前記情報処理装置は、
前記第１送信部が送信した前記第１生体情報、前記第１絶対時刻情報及び前記第１カウント情報、並びに、前記第２送信部が送信した前記第２生体情報、前記第２絶対時刻情報及び前記第２カウント情報を受信する第３受信部と、
ディスプレイと、
前記第３受信部が受信した前記第１絶対時刻情報及び前記第１カウント情報、並びに、前記第２絶対時刻情報と前記第２カウント情報に基づいて、前記第３受信部が受信した前記第１生体情報と前記第２生体情報とを同期させた状態で前記ディスプレイに表示する表示制御部と、を備える生体情報同期システム。
【請求項５】
前記第１生体情報検出センサは、前記第１生体情報検出部が検出した前記第１生体情報を記憶する第１生体情報記憶部をさらに備え、
前記第２生体情報検出センサは、前記第２生体情報検出部が検出した前記第２生体情報を記憶する第２生体情報記憶部をさらに備え、
前記第１送信部は、前記第１生体情報記憶部に記憶された前記第１生体情報と前記第１受信部が受信した前記第１絶対時刻情報と前記第１カウンタがカウントアップした第１カウント情報とを、所定タイミングで前記情報処理装置に送信し、
前記第２送信部は、前記第２生体情報記憶部に記憶された前記第２生体情報と前記第２受信部が受信した前記第２絶対時刻情報と前記第２カウンタがカウントアップした第２カウント情報とを、所定タイミングで前記情報処理装置に送信する請求項４に記載の生体情報同期システム。
【請求項６】
前記所定タイミングは、前記ディスプレイに表示される前記第１生体情報と前記第２生体情報との表示上のズレが許容範囲に納まるように考慮されたタイミングである請求項５に記載の生体情報同期システム。
【請求項７】
前記第１送信部は、前記第１絶対時刻情報と前記第１カウント情報に代えて、前記第１絶対時刻情報と前記第１カウント情報に基づいて算出された第１時刻を送信し、
前記第２送信部は、前記第２絶対時刻情報と前記第２カウント情報に代えて、前記第２絶対時刻情報と前記第２カウント情報に基づいて算出された第２時刻を送信する請求項４から６のいずれか１項に記載の生体情報同期システム。
【請求項８】
同一の生体に装着される第１生体情報検出センサと、第２生体情報検出センサと、情報処理装置と、を備えた生体情報同期システムにおいて、
前記第１生体情報検出センサは、
前記生体の第１生体情報を経時的に検出する第１生体情報検出部と、
前記情報処理装置が送信した第１絶対時刻情報を受信する第１受信部と、
前記第１受信部が受信した前記第１絶対時刻情報から計時を開始する第１時計部と、
前記第１生体情報検出部が検出した第１生体情報と前記第１時計部が計時した第１時刻情報とを前記情報処理装置に送信する第１送信部と、を備え、
前記第２生体情報検出センサは、
前記生体の第２生体情報を経時的に検出する第２生体情報検出部と、
前記情報処理装置が送信した第２絶対時刻情報を受信する第２受信部と、
前記第２受信部が受信した前記第２絶対時刻情報から計時を開始する第２時計部と、
前記第２生体情報検出部が検出した第２生体情報と前記第２時計部が計時した第２時刻情報とを前記情報処理装置に送信する第２送信部と、を備え、
前記情報処理装置は、
前記第１送信部が送信した前記第１生体情報及び前記第１時刻情報、並びに、前記第２送信部が送信した前記第２生体情報及び前記第２時刻情報を受信する第３受信部と、
ディスプレイと、
前記第３受信部が受信した前記第１時刻情報及び前記第２時刻情報に基づいて、前記第３受信部が受信した前記第１生体情報と前記第２生体情報とを同期させた状態で前記ディスプレイに表示する表示制御部と、を備える生体情報同期システム。
【請求項９】
同一の生体に装着される第１生体情報検出センサと、第２生体情報検出センサと、情報処理装置と、を備えた生体情報同期システムにおいて、
前記第１生体情報検出センサは、
前記情報処理装置が送信した第１絶対時刻情報を受信する第１受信部と、
前記第１受信部が前記第１絶対時刻情報を受信した場合、前記生体の第１生体情報を経時的に検出する第１生体情報検出部と、
前記第１生体情報検出部が検出した第１生体情報と前記第１受信部が受信した前記第１絶対時刻情報とを前記情報処理装置に送信する第１送信部と、を備え、
前記第２生体情報検出センサは、
前記情報処理装置が送信した第２絶対時刻情報を受信する第２受信部と、
前記第２受信部が前記第２絶対時刻情報を受信した場合、前記生体の第２生体情報を経時的に検出する第２生体情報検出部と、
前記第２生体情報検出部が検出した第２生体情報と前記第２受信部が受信した前記第２絶対時刻情報とを前記情報処理装置に送信する第２送信部と、を備え、
前記情報処理装置は、
前記第１送信部が送信した前記第１生体情報及び前記第１絶対時刻情報、並びに、前記第２送信部が送信した前記第２生体情報及び前記第２絶対時刻情報を受信する第３受信部と、
ディスプレイと、
前記第３受信部が受信した前記第１絶対時刻情報及び前記第２絶対時刻情報に基づいて、前記第３受信部が受信した前記第１生体情報と前記第２生体情報とを同期させた状態で前記ディスプレイに表示する表示制御部と、を備える生体情報同期システム。
【請求項１０】
生体の第１生体情報を経時的に検出する第１生体情報検出部と、前記生体の動きを経時的に検出する第１動き検出センサと、を備え、前記生体に装着される第１生体情報検出センサが、前記第１生体情報検出部が検出した第１生体情報と前記第１動き検出センサが検出した第１動き情報とを情報処理装置に送信し、
前記生体の第２生体情報を経時的に検出する第２生体情報検出部と、前記生体の動きを経時的に検出する第２動き検出センサと、を備え、前記生体に装着される第２生体情報検出センサが、前記第２生体情報検出部が検出した第２生体情報と前記第２動き検出センサが検出した第２動き情報とを情報処理装置に送信し、
ディスプレイを備えた情報処理装置が、前記第１生体情報検出センサが送信した前記第１生体情報及び前記第１動き情報、並びに、前記第２生体情報検出センサが送信した前記第２生体情報及び前記第２動き情報を受信し、受信した前記第１動き情報及び前記第２動き情報に基づいて、受信した前記第１生体情報と前記第２生体情報とを同期させた状態で前記ディスプレイに表示する生体情報同期方法。
【請求項１１】
生体の第１生体情報を検出する第１生体情報検出部と、情報処理装置が送信した第１絶対時刻情報を受信する第１受信部と、前記第１受信部が前記第１絶対時刻情報を受信した場合、カウントアップを開始する第１カウンタと、を備え、生体に装着された第１生体情報検出センサが、前記第１生体情報検出部が検出した第１生体情報と前記第１受信部が受信した前記第１絶対時刻情報と前記第１カウンタがカウントアップした第１カウント情報とを前記情報処理装置に送信し、
前記生体の第２生体情報を検出する第２生体情報検出部と、前記情報処理装置が送信した第２絶対時刻情報を受信する第２受信部と、前記第２受信部が前記第２絶対時刻情報を受信した場合、カウントアップを開始する第２カウンタと、を備え、前記生体に装着された第２生体情報検出センサが、前記第２生体情報検出部が検出した第２生体情報と前記第２受信部が受信した前記第２絶対時刻情報と前記第２カウンタがカウントアップした第２カウント情報とを前記情報処理装置に送信し、
ディスプレイを備えた情報処理装置が、前記第１生体情報検出センサが送信した前記第１生体情報、前記第１絶対時刻情報及び前記第１カウント情報、並びに、前記第２生体情報検出センサが送信した前記第２生体情報、前記第２絶対時刻情報及び前記第２カウント情報を受信し、受信した前記第１絶対時刻情報及び前記第１カウント情報、並びに、受信した前記第２絶対時刻情報と前記第２カウント情報に基づいて、受信した前記第１生体情報と前記第２生体情報とを同期させた状態で前記ディスプレイに表示する生体情報同期方法。
【請求項１２】
生体の第１生体情報を経時的に検出する第１生体情報検出部と、情報処理装置が送信した第１絶対時刻情報を受信する第１受信部と、前記第１受信部が受信した前記第１絶対時刻情報から計時を開始する第１時計部と、を備え、生体に装着された第１生体情報検出センサが、前記第１生体情報検出部が検出した第１生体情報と前記第１時計部が計時した第１時刻情報とを前記情報処理装置に送信し、
前記生体の第２生体情報を経時的に検出する第２生体情報検出部と、情報処理装置が送信した第２絶対時刻情報を受信する第２受信部と、前記第２受信部が受信した前記第２絶対時刻情報から計時を開始する第２時計部と、を備え、前記生体に装着された第２生体情報検出センサが、前記第２生体情報検出部が検出した第２生体情報と前記第２時計部が計時した第２時刻情報とを前記情報処理装置に送信し、
ディスプレイを備えた情報処理装置が、前記第１送信部が送信した前記第１生体情報及び前記第１時刻情報、並びに、前記第２送信部が送信した前記第２生体情報及び前記第２時刻情報を受信し、受信した前記第１時刻情報及び前記第２時刻情報に基づいて、受信した前記第１生体情報と前記第２生体情報とを同期させた状態で前記ディスプレイに表示する生体情報同期方法。
【請求項１３】
情報処理装置が送信した第１絶対時刻情報を受信する第１受信部と、前記第１受信部が前記第１絶対時刻情報を受信した場合、生体の第１生体情報を経時的に検出する第１生体情報検出部と、を備え、生体に装着された第１生体情報検出センサが、前記第１生体情報検出部が検出した第１生体情報と前記第１受信部が受信した前記第１絶対時刻情報とを前記情報処理装置に送信し、
前記情報処理装置が送信した第２絶対時刻情報を受信する第２受信部と、前記第２受信部が前記第２絶対時刻情報を受信した場合、前記生体の第２生体情報を経時的に検出する第２生体情報検出部と、を備え、前記生体に装着された第２生体情報検出センサが、前記第２生体情報検出部が検出した第２生体情報と前記第２受信部が受信した前記第２絶対時刻情報とを前記情報処理装置に送信し、
ディスプレイを備えた情報処理装置が、前記第１送信部が送信した前記第１生体情報及び前記第１絶対時刻情報、並びに、前記第２送信部が送信した前記第２生体情報及び前記第２絶対時刻情報を受信し、受信した前記第１絶対時刻情報及び前記第２絶対時刻情報に基づいて、受信した前記第１生体情報と前記第２生体情報とを同期させた状態で前記ディスプレイに表示する生体情報同期方法。
【請求項１４】
生体の生体情報を経時的に検出する生体情報検出部と、
前記生体の動きを経時的に検出する動き検出センサと、
前記生体情報検出部が検出した生体情報と前記動き検出センサが検出した動き情報とを外部装置に送信する送信部と、を備えた生体情報検出センサ。
【請求項１５】
生体の生体情報を経時的に検出する生体情報検出部と、
外部装置が送信した絶対時刻情報を受信する受信部と、
前記受信部が前記絶対時刻情報を受信した場合、カウントアップを開始するカウンタと、
前記生体情報検出部が検出した生体情報と前記受信部が受信した前記絶対時刻情報と前記カウンタがカウントアップしたカウント情報とを外部装置に送信する送信部と、を備えた生体情報検出センサ。
【請求項１６】
生体の生体情報を経時的に検出する生体情報検出部と、
外部装置が送信した絶対時刻情報を受信する受信部と、
前記受信部が受信した前記絶対時刻情報から計時を開始する時計部と、
前記生体情報検出部が検出した生体情報と前記時計部が計時した時刻情報とを外部装置に送信する送信部と、を備えた生体情報検出センサ。
【請求項１７】
外部装置が送信した絶対時刻情報を受信する受信部と、
前記受信部が前記絶対時刻情報を受信した場合、生体の生体情報を経時的に検出する生体情報検出部と、
前記生体情報検出部が検出した生体情報と前記受信部が受信した前記絶対時刻情報とを外部装置に送信する送信部と、を備えた生体情報検出センサ。
【発明の詳細な説明】
【技術分野】
【０００１】
本発明は、生体情報同期システム、生体情報同期方法、及び、生体情報検出センサに関する。
【背景技術】
【０００２】
従来、医療機器の分野においては、無線通信部を備えた生体情報検出センサ（医療用テレメータ）が知られている（例えば、特許文献１参照）。
【先行技術文献】
【特許文献】
【０００３】
【特許文献１】特開２０１４−６８７１８号公報
【発明の概要】
【発明が解決しようとする課題】
【０００４】
しかしながら、心電図検出センサ、脈拍検出センサ等の複数の生体情報検出センサを同一の生体に装着して用いる場合、複数の生体情報検出センサは、各々が検出した生体情報（例えば、心電図データや脈拍データ）をバラバラのタイミングで無線送信するため、生体情報の受信側は、同一時刻に検出された生体情報であるにもかかわらず、各々の生体情報検出センサが検出した生体情報（例えば、心電図データや脈拍データ）を同一時刻に検出された生体情報として扱うことができない（その結果、例えば、心電図データと脈拍データとを同期させた状態で表示することができない）という課題がある。
【０００５】
本発明は、上記事情に鑑みてなされたものであり、複数の生体情報検出センサが、各々が検出した生体情報（例えば、心電図データや脈拍データ）をバラバラのタイミングで無線送信したとしても、生体情報の受信側が、各々の生体情報検出センサが検出した生体情報（例えば、心電図データや脈拍データ）を同一時刻に検出された生体情報として扱うことができる（例えば、心電図データと脈拍データとを同期させた状態で表示することができる）生体情報同期システム、生体情報同期方法、及び、生体情報検出センサを提供することを目的とする。
【課題を解決するための手段】
【０００６】
上記目的を達成するために、本発明の一つの側面は、同一の生体に装着される第１生体情報検出センサと、第２生体情報検出センサと、情報処理装置と、を備えた生体情報同期システムにおいて、前記第１生体情報検出センサは、前記生体の第１生体情報を経時的に検出する第１生体情報検出部と、前記生体の動きを経時的に検出する第１動き検出センサと、前記第１生体情報検出部が検出した第１生体情報と前記第１動き検出センサが検出した第１動き情報とを前記情報処理装置に送信する第１送信部と、を備え、前記第２生体情報検出センサは、前記生体の第２生体情報を経時的に検出する第２生体情報検出部と、前記生体の動きを経時的に検出する第２動き検出センサと、前記第２生体情報検出部が検出した第２生体情報と前記第２動き検出センサが検出した第２動き情報とを前記情報処理装置に送信する第２送信部と、を備え、前記情報処理装置は、前記第１送信部が送信した前記第１生体情報及び前記第１動き情報、並びに、前記第２送信部が送信した前記第２生体情報及び前記第２動き情報を受信する受信部と、ディスプレイと、前記受信部が受信した前記第１動き情報及び前記第２動き情報に基づいて、前記受信部が受信した前記第１生体情報と前記第２生体情報とを同期させた状態で前記ディスプレイに表示する表示制御部と、を備える生体情報同期システムであることを特徴とする。
【０００７】
この側面によれば、複数の生体情報検出センサが、各々が検出した生体情報（例えば、心電図データや脈拍データ）をバラバラのタイミングで無線送信したとしても、生体情報の受信側が、各々の生体情報検出センサが検出した生体情報（例えば、心電図データや脈拍データ）を同一時刻に検出された生体情報として扱うことができる（例えば、心電図データと脈拍データとを同期させた状態で表示することができる）生体情報同期システムを提供することができる。
【０００８】
これは、受信機が、受信した第１動き情報（例えば、第１加速度データ）及び第２動き情報（例えば、第２加速度データ）に基づいて、第１生体情報（例えば、心電図データ）と第２生体情報（例えば、脈拍データ）とを同期させた状態でディスプレイに表示することによるものである。
【図面の簡単な説明】
【０００９】
【図１】医用テレメータシステム１０の概略構成図である。
【図２】（ａ）第１生体情報検出センサ２０Ａの概略ハード構成図、（ｂ）第２生体情報検出センサ２０Ｂの概略ハード構成図である。
【図３】受信機３０の概略ハード構成図である。
【図４】医用テレメータシステム１０の動作を説明するためのシーケンス図である。
【図５】生体情報表示処理を説明するためのフローチャートである。
【図６】（ａ）心電図データ及び第１加速度データの一例、（ｂ）脈拍データ及び第２加速度データの一例である。
【図７】心電図データ及び脈拍データの表示例である。
【図８】（ａ）第１生体情報検出センサ２０Ｃの概略ハード構成図、（ｂ）第２生体情報検出センサ２０Ｄの概略ハード構成図である。
【図９】医用テレメータシステム１０Ａの動作を説明するためのシーケンス図である。
【図１０】医用テレメータシステム１０Ａの動作を説明するためのシーケンス図である。
【図１１】生体情報表示処理を説明するためのフローチャートである。
【図１２】心電図データ及び脈拍データの表示例である。
【図１３】（ａ）第１生体情報検出センサ２０Ｅの概略ハード構成図、（ｂ）第２生体情報検出センサ２０Ｆの概略ハード構成図である。
【図１４】医用テレメータシステム１０Ｂの動作を説明するためのシーケンス図である。
【図１５】医用テレメータシステム１０Ｂの動作を説明するためのシーケンス図である。
【図１６】心電図データ及び脈拍データの表示例である。
【図１７】（ａ）第１生体情報検出センサ２０Ｇの概略ハード構成図、（ｂ）第２生体情報検出センサ２０Ｈの概略ハード構成図である。
【図１８】医用テレメータシステム１０Ｃの動作を説明するためのシーケンス図である。
【図１９】医用テレメータシステム１０Ｃの動作を説明するためのシーケンス図である。
【図２０】心電図データ及び脈拍データの表示例である。
【発明を実施するための形態】
【００１０】
［第１実施形態］
以下、本発明の第１実施形態である医用テレメータシステム１０について添付図面を参照しながら説明する。各図において対応する構成要素には同一の符号が付され、重複する説明は省略される。
【００１１】
図１は、医用テレメータシステム１０の概略構成図である。
【００１２】
図１に示すように、生体情報同期システム（以下、医用テレメータシステム１０という）は、第１生体情報検出センサ２０Ａ、第２生体情報検出センサ２０Ｂ、及び、情報処理装置（以下、受信機３０という）等を備える。以下、第１生体情報検出センサ２０Ａと第２生体情報検出センサ２０Ｂとを特に区別しない場合、生体情報検出センサ２０と記載する。
【００１３】
［第１生体情報検出センサ］
次に、第１生体情報検出センサ２０Ａについて説明する。図２（ａ）は、第１生体情報検出センサ２０Ａの概略ハード構成図である。
【００１４】
図１に示すように、生体情報検出センサ２０Ａは、生体（以下、患者５０という）に貼り付けられたパッド６０に装着されて当該患者５０の生体情報（ここでは、心電図）の測定を行い、測定した生体情報を無線通信部２６Ａを介して受信機３０等に送信する。
【００１５】
図２（ａ）に示すように、第１生体情報検出センサ２０Ａは、生体情報検出部２１Ａと、センサ入力部２２Ａと、記憶部２３Ａと、第１加速度センサ２４Ａと、制御部２５Ａと、無線通信部２６Ａと、を備える。
【００１６】
生体情報検出部２１Ａは、患者５０の生体情報（又は生体信号）として患者５０の心電図を経時的に検出する３リード電極（Ｒ、Ｌ、Ｆ）である。
【００１７】
センサ入力部２２Ａは、生体情報検出部２１Ａが検出した患者５０の生体情報を増幅、Ａ／Ｄ変換等して制御部２５Ａに入力する。具体的には、センサ入力部２２Ａは、生体情報として、所定サンプリング周波数（例えば、５００Ｈｚ）でサンプリングされたデータ群からなる心電図データを制御部２５Ａに入力する。制御部２５Ａは、センサ入力部２２Ａが入力した心電図データを心電図データ記憶部２３Ａａに記憶する。図６（ａ）中の心電図データは、心電図データ記憶部２３Ａａに記憶される心電図データ（に基づく波形）の一例である。
【００１８】
記憶部２３Ａは、例えば、フラッシュＲＯＭ等の読み書き可能な不揮発性メモリである。記憶部２３Ａは、心電図データ記憶部２３Ａａ、第１加速度データ記憶部２３Ａｂを含む。また、記憶部２３Ａには、図示しないが、制御プログラム（ファームウェア）が記憶されている。
【００１９】
第１加速度センサ２４Ａは、例えば、３軸の加速度センサ（ＭＥＭＳセンサ）である。第１加速度センサ２４Ａが本発明の第１動き検出センサに相当する。第１加速度センサ２４Ａは、患者５０の加速度情報を経時的に検出（出力）する。具体的には、第１加速度センサ２４Ａは、加速度情報（動き情報）として、所定サンプリング周波数（例えば、５００Ｈｚ）でサンプリングされたデータ群からなる加速度データ（以下、第１加速度データという）を出力する。制御部２５Ａは、第１加速度センサ２４Ａが出力した第１加速度データを取得し、取得した第１加速度データを第１加速度データ記憶部２３Ａｂに記憶する。図６（ａ）中の第１加速度データは、第１加速度データ記憶部２３Ａｂに記憶される加速度データ（に基づく波形）の一例である。
【００２０】
制御部２５Ａは、ＣＰＵやＲＡＭを含む。第１生体情報検出センサ２０ＡのＣＰＵは、記憶部２３Ａに記憶された制御プログラムを実行することで、無線通信部２６Ａ等を制御する。例えば、生体情報検出部２１Ａが検出した生体情報（心電図データ）と第１加速度センサ２４Ａが検出した加速度情報（第１加速度データ）とを無線通信部２６Ａを介して受信機３０に送信する。
【００２１】
無線通信部２６Ａは、例えば、ＢＬＥ（Bluetooth Low Energy）技術に対応できる通信モジュール（例えば、ＢＬＥモジュール）であり、アンテナ２６Ａａを介して、近距離（例えば１００ｍｍ）内の他のＢＬＥ対応デバイス（例えば、受信機３０）と無線通信する。無線通信部２６が本発明の第１送信部に相当する。なお、第１生体情報検出センサ２０Ａは、ペリフェラル（スレーブともいう）として機能する。
【００２２】
［第２生体情報検出センサ］
次に、第２生体情報検出センサ２０Ｂについて説明する。図２（ｂ）は、第２生体情報検出センサ２０Ｂの概略ハード構成図である。
【００２３】
図１に示すように、第２生体情報検出センサ２０Ｂは、患者５０に装着されて当該患者５０の生体情報（ここでは、脈拍）の測定を行い、測定した生体情報を無線通信部２６Ｂを介して受信機３０等に送信する。
【００２４】
図２（ｂ）に示すように、第２生体情報検出センサ２０Ｂは、生体情報検出部２１Ｂと、センサ入力部２２Ｂと、記憶部２３Ｂと、第２加速度センサ２４Ｂと、制御部２５Ｂと、無線通信部２６Ｂと、を備える。
【００２５】
生体情報検出部２１Ｂは、患者５０の生体情報（又は生体信号）として患者５０の脈拍を経時的に検出するＳｐＯ２プローブである。
【００２６】
センサ入力部２２Ｂは、生体情報検出部２１Ｂが検出した患者５０の生体情報を増幅、Ａ／Ｄ変換等して制御部２５Ｂに入力する。具体的には、センサ入力部２２Ｂは、生体情報として、所定サンプリング周波数（例えば、５００Ｈｚ）でサンプリングされたデータ群からなる脈拍データを制御部２５Ｂに入力する。制御部２５Ｂは、センサ入力部２２Ｂが入力した脈拍データを脈拍データ記憶部２３Ｂａに記憶する。図６（ｂ）中の脈拍データは、脈拍データ記憶部２３Ｂａに記憶される脈拍データ（に基づく波形）の一例である。
【００２７】
記憶部２３Ｂは、例えば、フラッシュＲＯＭ等の読み書き可能な不揮発性メモリである。記憶部２３Ｂは、脈拍データ記憶部２３Ｂａ、第２加速度データ記憶部２３Ｂｂを含む。また、記憶部２３Ｂには、図示しないが、制御プログラム（ファームウェア）が記憶されている。
【００２８】
第２加速度センサ２４Ｂは、例えば、３軸の加速度センサ（ＭＥＭＳセンサ）である。第２加速度センサ２４Ｂが本発明の第２動き検出センサに相当する。第２加速度センサ２４Ｂは、患者５０の加速度情報を経時的に検出（出力）する。具体的には、第２加速度センサ２４Ｂは、加速度情報（動き情報）として、所定サンプリング周波数（例えば、５００Ｈｚ）でサンプリングされたデータ群からなる加速度データ（以下、第２加速度データという）を出力する。制御部２５Ｂは、第２加速度センサ２４Ｂが出力した第２加速度データを取得し、取得した第２加速度データを第２加速度データ記憶部２３Ｂｂに記憶する。図６（ｂ）中の第２加速度データは、第２加速度データ記憶部２３Ｂｂに記憶される第２加速度データ（に基づく波形）の一例である。
【００２９】
制御部２５Ｂは、ＣＰＵやＲＡＭを含む。第２生体情報検出センサ２０ＢのＣＰＵは、記憶部２３Ｂに記憶された制御プログラムを実行することで、無線通信部２６Ｂ等を制御する。例えば、生体情報検出部２１Ｂが検出した生体情報（脈拍データ）と第２加速度センサ２４Ｂが検出した加速度情報（第２加速度データ）とを無線通信部２６Ｂを介して受信機３０に送信する。
【００３０】
無線通信部２６Ｂは、例えば、ＢＬＥ（Bluetooth Low Energy）技術に対応できる通信モジュール（例えば、ＢＬＥモジュール）であり、アンテナ２６Ｂａを介して、近距離（例えば１００ｍｍ）内の他のＢＬＥ対応デバイス（例えば、受信機３０）と無線通信する。無線通信部２６Ｂが本発明の第２送信部に相当する。なお、第２生体情報検出センサ２０Ｂは、ペリフェラル（スレーブともいう）として機能する。
【００３１】
［受信機］
次に、受信機３０について説明する。図３は、受信機３０の概略ハード構成図である。
【００３２】
受信機３０は、例えば、スマートフォンであり、図３に示すように、ディスプレイ３１と、表示制御部３２と、記憶部３３と、制御部３４と、無線通信部３５と、時計部３６と、を備える。
【００３３】
ディスプレイ３１は、例えば、タッチパネル付き液晶ディスプレイである。
【００３４】
表示制御部３２は、制御部３４からの制御に従ってディスプレイ３１に各種表示を表示する。例えば、表示制御部３２は、第１加速度データ及び第２加速度データに基づいて、心電図データ（正確には、心電図データに基づく波形）と脈拍データ（正確には、脈拍データに基づく波形）とを同期させた状態でディスプレイ３１に表示する。
【００３５】
記憶部３３は、例えば、フラッシュＲＯＭ等の読み書き可能な不揮発性メモリである。記憶部３３には、所定アプリケーションプログラム３３ａ等が記憶されている。
【００３６】
制御部３４は、ＣＰＵやＲＯＭを含む。受信機３０のＣＰＵは、記憶部３３に記憶された所定アプリケーションプログラム３３ａを実行することで、表示制御部３２や無線通信部３５等を制御する。
【００３７】
無線通信部３５は、例えば、ＢＬＥ（Bluetooth Low Energy）技術に対応できる通信モジュール（例えば、ＢＬＥモジュール）であり、アンテナ３５ａを介して、近距離（例えば１００ｍｍ）内の他のＢＬＥ対応デバイス（例えば、生体情報検出センサ２０）と無線通信する。無線通信部３５が本発明の受信部に相当する。なお、受信機３０は、セントラル（マスタともいう）として機能する。
【００３８】
時計部３６は、受信機３０が内蔵する時計で、例えば、リアルタイムクロックである。
【００３９】
［医用テレメータシステム１０の動作例］
次に、上記構成の医用テレメータシステム１０の動作例について説明する。図４は、医用テレメータシステム１０の動作を説明するためのシーケンス図である。
【００４０】
以下の受信機３０の処理は、主に、受信機３０のＣＰＵが記憶部３３からＲＡＭに読み込まれた所定アプリケーションプログラム３３ａを実行することで実現される。また、以下の生体情報検出センサ２０の処理は、主に、生体情報検出センサ２０のＣＰＵが記憶部２３からＲＡＭに読み込まれた制御プログラムを実行することで実現される。
【００４１】
まず、図１に示すように、第１生体情報検出センサ２０Ａを患者５０に装着する（ステップＳ１０）。
【００４２】
次に、第１生体情報検出センサ２０Ａの電源スイッチ（図示せず）をＯＮすると（ステップＳ１２）、第１生体情報検出センサ２０Ａは、受信機３０との間で規格（ＢＬＥの通信規格。以下同様）に従った通信を行うことで、コネクションを確立する（ステップＳ１４）。これとともに、第１生体情報検出センサ２０ＡのＣＰＵは、生体情報検出部２１Ａが検出した患者５０の心電図データを心電図データ記憶部２３Ａａに記憶し、かつ、第１加速度センサ２４Ａが検出した第１加速度データを第１加速度データ記憶部２３Ａｂに記憶する（ステップＳ１６）。その際、心電図データ及び第１加速度データは、図６（ａ）に示すように、同一時刻Ｔ０Ａ（又は略同一時刻Ｔ０Ａ）に記憶が開始される。このように、心電図データ及び第１加速度データは、同期した状態で記憶される。
【００４３】
次に、送信タイミングが到来した場合（ステップＳ１８：Ｙｅｓ）、第１生体情報検出センサ２０ＡのＣＰＵは、記憶部２３Ａから心電図データ及び第１加速度データを読み出し、読み出した心電図データ及び第１加速度データを無線通信部２６Ａを介して受信機３０に送信する（ステップＳ２０）。なお、送信タイミングが到来するまで無線通信部２６Ａをスリープ状態とすることで、省電力を実現することができる。
【００４４】
送信タイミングは、例えば、記憶部２３Ａに記憶された心電図データ（又は第１加速度データ）が閾値を超えたタイミングである。
【００４５】
なお、ステップＳ１６、Ｓ１８を省略し、生体情報検出部２１Ａが検出した患者５０の心電図データ及び第１加速度センサ２４Ａが検出した第１加速度データを直接（記憶部２３Ａに記憶することなく）受信機３０に送信してもよい。
【００４６】
次に、第１生体情報検出センサ２０ＡのＣＰＵは、記憶部２３Ａをクリアする（ステップＳ２２）。すなわち、心電図データ記憶部２３Ａａ及び第１加速度データ記憶部２３Ａｂの記憶内容を消去する。
【００４７】
以後、第１生体情報検出センサ２０Ａは、ステップＳ１６〜Ｓ２２の処理を繰り返し実行する。
【００４８】
同様に、図１に示すように、第２生体情報検出センサ２０Ｂを患者５０に装着する（ステップＳ２４）。
【００４９】
次に、第２生体情報検出センサ２０Ｂの電源スイッチ（図示せず）をＯＮすると（ステップＳ２６）、第２生体情報検出センサ２０Ｂは、受信機３０との間で規格に従った通信を行うことで、コネクションを確立する（ステップＳ２８）。これとともに、第２生体情報検出センサ２０ＢのＣＰＵは、生体情報検出部２１Ｂが検出した患者５０の脈拍データを脈拍データ記憶部２３Ｂａに記憶し、かつ、第２加速度センサ２４Ｂが検出した第２加速度データを第２加速度データ記憶部２３Ｂｂに記憶する（ステップＳ３０）。その際、脈拍データ及び第２加速度データは、図６（ｂ）に示すように、同一時刻Ｔ０Ｂ（又は略同一時刻Ｔ０Ｂ）に記憶が開始される。このように、脈拍データ及び第２加速度データは、同期した状態で記憶される。なお、時刻Ｔ０Ａと時刻Ｔ０Ｂは、通常、異なる時刻である。
【００５０】
次に、送信タイミングが到来した場合（ステップＳ３２：Ｙｅｓ）、第２生体情報検出センサ２０ＢのＣＰＵは、記憶部２３Ｂから脈拍データ及び第２加速度データを読み出し、読み出した脈拍データ及び第２加速度データを無線通信部２６Ｂを介して受信機３０に送信する（ステップＳ３４）。なお、送信タイミングが到来するまで無線通信部２６Ｂをスリープ状態とすることで、省電力を実現することができる。
【００５１】
送信タイミングは、例えば、記憶部２３Ｂに記憶された心電図データ（又は第２加速度データ）が閾値を超えたタイミングである。
【００５２】
なお、ステップＳ３０、Ｓ３２を省略し、生体情報検出部２１Ｂが検出した患者５０の脈拍データ及び第２加速度センサ２４Ｂが検出した第２加速度データを直接（記憶部２３Ｂに記憶することなく）受信機３０に送信してもよい。
【００５３】
次に、第２生体情報検出センサ２０ＢのＣＰＵは、記憶部２３Ｂをクリアする（ステップＳ３６）。すなわち、脈拍データ記憶部２３Ｂａ及び第２加速度データ記憶部２３Ｂｂの記憶内容を消去する。
【００５４】
以後、第２生体情報検出センサ２０Ｂは、ステップＳ３０〜Ｓ３６の処理を繰り返し実行する。
【００５５】
受信機３０は、第１生体情報検出センサ２０Ａが送信した心電図データ及び第１加速度データ、並びに、第２生体情報検出センサ２０Ｂが送信した脈拍データ及び第２加速度データを無線通信部３５が受信した場合（ステップＳ３８、Ｓ４０）、生体情報表示処理（ステップＳ４２）を実行する。
【００５６】
図５は、生体情報表示処理を説明するためのフローチャートである。図６（ａ）は心電図データ及び第１加速度データの一例、図６（ｂ）は脈拍データ及び第２加速度データの一例である。図７は、心電図データ及び脈拍データの表示例である。
【００５７】
生体情報表示処理は、受信機３０が、心電図データと脈拍データとを同期させた状態でディスプレイ３１に表示する処理である。
【００５８】
具体的には、まず、受信機３０のＣＰＵは、ステップＳ３８で受信した第１加速度データ中の第１特徴部Ｆ１を検出する（ステップＳ４２０２）。第１特徴部Ｆ１は、例えば、図６（ａ）に示すように、閾値ＴＨを超える部分である。
【００５９】
次に、受信機３０のＣＰＵは、ステップＳ４０で受信した第２加速度データ中の第２特徴部Ｆ２を検出する（ステップＳ４２０４）。第２特徴部Ｆ２は、例えば、図６（ｂ）に示すように、閾値ＴＨを超える部分である。
【００６０】
ここで、第１生体情報検出センサ２０Ａ（第１加速度センサ２４Ａ）及び第２生体情報検出センサ２０Ｂ（第２加速度センサ２４Ｂ）は同一の患者５０に装着されているため同一の動きを検出すると考えると、第１特徴部Ｆ１及び第２特徴部Ｆ２は同一時刻Ｔ１に検出されたと考えることができる。
【００６１】
そこで、受信機３０のＣＰＵは、図７に示すように、心電図データの、第１特徴部Ｆ１に対応する部分Ｃ１（図６（ａ）参照）と、脈拍データ中の、第２特徴部Ｆ２に対応する部分Ｃ２（図６（ｂ）参照）とが、同一時刻を表す線Ｌ１上に位置するように、心電図データと脈拍データとをディスプレイ３１に表示する（ステップＳ４２０６）。すなわち、心電図データと脈拍データとを同期させた状態でディスプレイ３１に表示する。なお、線Ｌ１は、ディスプレイ３１に表示してもよいし、非表示であってもよい。
【００６２】
以上説明したように、本実施形態によれば、第１及び第２生体情報検出センサ２０Ａ、２０Ｂが、各々が検出した生体情報（心電図データや脈拍データ）をバラバラのタイミングで無線送信したとしても、生体情報の受信側である受信機３０が、各々の生体情報検出センサ２０Ａ、２０Ｂが検出した生体情報（心電図データや脈拍データ）を同一時刻に検出された生体情報として扱うことができる。
【００６３】
これは、受信機３０が、ステップＳ３８、Ｓ４０で受信した第１加速度データ及び第２加速度データに基づいて、心電図データと脈拍データとを同期させた状態でディスプレイ３１に表示することによるものである。
【００６４】
［第２実施形態］
次に、本発明の第２実施形態である医用テレメータシステム１０Ａについて添付図面を参照しながら説明する。各図において対応する構成要素には同一の符号が付され、重複する説明は省略される。
【００６５】
図１に示すように、生体情報同期システム（以下、医用テレメータシステム１０Ａという）は、第１生体情報検出センサ２０Ｃ、第２生体情報検出センサ２０Ｄ、及び、情報処理装置（以下、受信機３０という）等を備える。以下、第１生体情報検出センサ２０Ｃと第２生体情報検出センサ２０Ｄとを特に区別しない場合、生体情報検出センサ２０と記載する。
【００６６】
図８（ａ）は、第１生体情報検出センサ２０Ｃの概略ハード構成図である。
【００６７】
本実施形態の第１生体情報検出センサ２０Ｃは、図８（ａ）に示すように、上記第１実施形態の第１生体情報検出センサ２０Ａの第１加速度センサ２４Ａを第１カウンタ２４Ｃに置き換え、かつ、上記第１実施形態の第１生体情報検出センサ２０Ａの第１加速度データ記憶部２３Ａｂを第１絶対時刻情報記憶部２３Ｃｂに置き換えたものに相当する。
【００６８】
図８（ｂ）は、第２生体情報検出センサ２０Ｄの概略ハード構成図である。
【００６９】
本実施形態の第２生体情報検出センサ２０Ｄは、上記第１実施形態の第２生体情報検出センサ２０Ｂの第２加速度センサ２４Ｂを第２カウンタ２４Ｄに置き換え、かつ、上記第１実施形態の第２生体情報検出センサ２０Ｂの第２加速度データ記憶部２３Ｂｂを第２絶対時刻情報記憶部２３Ｄｂに置き換えたものに相当する。それ以外、上記第１実施形態と同様の構成である。
【００７０】
以下、第１実施形態との相違点を中心に説明する。
【００７１】
第１カウンタ２４Ｃ（第２カウンタ２４Ｄも同様）は、これに入力されるパルス信号のパルス数をカウントする。例えば、入力されるパルス信号が５００Ｈｚの場合、第１カウンタ２４Ｃ（第２カウンタ２４Ｄも同様）は、２ｍｓごとにカウントアップする。
【００７２】
第１絶対時刻情報記憶部２３Ｃｂには、受信機３０が送信し、第１生体情報検出センサ２０Ｃが受信した絶対時刻情報（以下、第１絶対時刻情報という）が記憶される。第２絶対時刻情報記憶部２３Ｄｂには、受信機３０が送信し、第２生体情報検出センサ２０Ｄが受信した絶対時刻情報（以下、第２絶対時刻情報という）が記憶される。
【００７３】
［医用テレメータシステム１０Ａの動作例］
次に、上記構成の医用テレメータシステム１０Ａの動作例について説明する。図９、図１０は、医用テレメータシステム１０Ａの動作を説明するためのシーケンス図である。
【００７４】
以下の受信機３０の処理は、主に、受信機３０のＣＰＵが記憶部３３からＲＡＭに読み込まれた所定アプリケーションプログラム３３ａを実行することで実現される。また、以下の生体情報検出センサ２０の処理は、主に、生体情報検出センサ２０のＣＰＵが記憶部２３からＲＡＭに読み込まれた制御プログラムを実行することで実現される。
【００７５】
まず、図１に示すように、第１生体情報検出センサ２０Ｃを患者５０に装着する（ステップＳ５０）。
【００７６】
次に、第１生体情報検出センサ２０Ｃの電源スイッチ（図示せず）をＯＮすると（ステップＳ５２）、第１生体情報検出センサ２０Ｃは、受信機３０との間で規格に従った通信を行うことで、コネクションを確立する（ステップＳ５４）。受信機３０は、コネクションを確立する過程で時計部３６から第１絶対時刻情報を取得し、取得した第１絶対時刻情報を第１生体情報検出センサ２０Ｃに送信する。
【００７７】
第１生体情報検出センサ２０Ｃは、受信機３０が送信した第１絶対時刻情報を受信した場合、受信した第１絶対時刻情報を第１絶対時刻情報記憶部２３Ｃｂに記憶する（ステップＳ５６）。これとともに、第１生体情報検出センサ２０Ｃは、第１カウンタ２４Ｃのカウントアップを開始し（ステップＳ５８）、かつ、生体情報検出部２１Ａが検出した患者５０の心電図データを心電図データ記憶部２３Ａａに記憶する（ステップＳ６０）。
【００７８】
次に、送信タイミングが到来した場合（ステップＳ６２：Ｙｅｓ）、第１生体情報検出センサ２０ＣのＣＰＵは、記憶部２３Ａから心電図データ及び第１絶対時刻情報を読み出し、第１カウンタ２４Ｃから第１カウント情報（第１カウンタ２４Ｃがカウントアップしたカウント値）を読み出し、読み出した心電図データ、第１絶対時刻情報、及び、第１カウント情報を無線通信部２６Ａを介して受信機３０に送信する（ステップＳ６４）。なお、第１生体情報検出センサ２０ＣのＣＰＵは、第１絶対時刻情報、及び、第１カウント情報に代えて、第１絶対時刻情報、及び、第１カウント情報に基づいて第１時刻を算出し、算出した第１時刻を無線通信部２６Ａを介して受信機３０に送信してもよい。なお、送信タイミングが到来するまで無線通信部２６Ａをスリープ状態とすることで、省電力を実現することができる。
【００７９】
送信タイミングは、例えば、記憶部２３Ａに記憶された心電図データが閾値を超えたタイミングである。なお、第１カウンタ２４Ｃのカウントアップ期間が長くなると、第１カウンタ２４Ｃのカウント値の誤差（±１カウント誤差等）が累積し、ディスプレイ３１に表示される心電図データと脈拍データとの表示上のズレが許容範囲を超える恐れがある。したがって、送信タイミング（閾値）は、ディスプレイ３１に表示される心電図データと脈拍データとの表示上のズレが許容範囲に納まるように考慮されたタイミング（閾値）であるのが望ましい。
【００８０】
なお、ステップＳ６０、Ｓ６２を省略し、生体情報検出部２１Ａが検出した患者５０の心電図データ等を直接（記憶部２３Ａに記憶することなく）受信機３０に送信してもよい。
【００８１】
次に、第１生体情報検出センサ２０ＣのＣＰＵは、受信機３０が送信した第１絶対時刻情報を受信した場合（ステップＳ７０）、受信した第１絶対時刻情報を第１絶対時刻情報記憶部２３Ｃｂに記憶する（ステップＳ７２）。
【００８２】
そして、第１生体情報検出センサ２０Ｃは、心電図データ記憶部２３Ａａと第１カウンタ２４Ｃをクリアする（ステップＳ７４）。すなわち、心電図データ記憶部２３Ａａの記憶内容を消去し、第１カウンタ２４Ｃをリセットする。
【００８３】
以後、第１生体情報検出センサ２０Ｃは、ステップＳ５８〜Ｓ６４、Ｓ７０〜Ｓ７４の処理を繰り返し実行する。
【００８４】
以上のように、第１生体情報検出センサ２０Ｃは、受信機３０が送信した第１絶対時刻情報を受信するごとに（ステップＳ７０）、第１カウンタ２４Ｃをクリアし（ステップＳ７４）、第１カウンタ２４Ｃのカウントアップを開始する（ステップＳ５８）。これにより、第１カウンタ２４Ｃをクリアすることなくカウントアップを継続する場合と比べ、カウント値の誤差を補正することができる。
【００８５】
同様に、図１に示すように、第２生体情報検出センサ２０Ｄを患者５０に装着する（ステップＳ７６）。
【００８６】
次に、第２生体情報検出センサ２０Ｄの電源スイッチ（図示せず）をＯＮすると（ステップＳ７８）、第２生体情報検出センサ２０Ｄは、受信機３０との間で規格に従った通信を行うことで、コネクションを確立する（ステップＳ８０）。受信機３０は、コネクションを確立する過程で時計部３６から第２絶対時刻情報を取得し、取得した第２絶対時刻情報を第２生体情報検出センサ２０Ｄに送信する。
【００８７】
第２生体情報検出センサ２０Ｄは、受信機３０が送信した第２絶対時刻情報を受信した場合、受信した第２絶対時刻情報を第２絶対時刻情報記憶部２３Ｄｂに記憶する（ステップＳ８２）。これとともに、第２生体情報検出センサ２０Ｄは、第２カウンタ２４Ｄのカウントアップを開始し（ステップＳ８４）、かつ、生体情報検出部２１Ｂが検出した患者５０の脈拍データを脈拍データ記憶部２３Ｂａに記憶する（ステップＳ８６）。
【００８８】
次に、送信タイミングが到来した場合（ステップＳ８８：Ｙｅｓ）、第２生体情報検出センサ２０ＤのＣＰＵは、記憶部２３Ｂから脈拍データ及び第２絶対時刻情報を読み出し、第２カウンタ２４Ｄから第２カウント情報（第２カウンタ２４Ｄがカウントアップしたカウント値）を読み出し、読み出した脈拍データ、第２絶対時刻情報、及び、第２カウント情報を無線通信部２６Ｂを介して受信機３０に送信する（ステップＳ９０）。なお、第２生体情報検出センサ２０ＤのＣＰＵは、第２絶対時刻情報、及び、第２カウント情報に代えて、第２絶対時刻情報、及び、第２カウント情報に基づいて第２時刻を算出し、算出した第２時刻を無線通信部２６Ｂを介して受信機３０に送信してもよい。なお、送信タイミングが到来するまで無線通信部２６Ｂをスリープ状態とすることで、省電力を実現することができる。
【００８９】
送信タイミングは、例えば、記憶部２３Ｂに記憶された脈拍データが閾値を超えたタイミングである。なお、第２カウンタ２４Ｄのカウントアップ期間が長くなると、第２カウンタ２４Ｄのカウント値の誤差（±１カウント誤差等）が累積し、ディスプレイ３１に表示される心電図データと脈拍データとの表示上のズレが許容範囲を超える恐れがある。したがって、送信タイミング（閾値）は、ディスプレイ３１に表示される心電図データと脈拍データとの表示上のズレが許容範囲に納まるように考慮されたタイミング（閾値）であるのが望ましい。
【００９０】
なお、ステップＳ８６、Ｓ８８を省略し、生体情報検出部２１Ｂが検出した患者５０の脈拍データ等を直接（記憶部２３Ｂに記憶することなく）受信機３０に送信してもよい。
【００９１】
次に、第２生体情報検出センサ２０ＤのＣＰＵは、受信機３０が送信した第２絶対時刻情報を受信した場合（ステップＳ９６）、受信した第２絶対時刻情報を第２絶対時刻情報記憶部２３Ｄｂに記憶する（ステップＳ９８）。
【００９２】
そして、第２生体情報検出センサ２０Ｄは、脈拍データ記憶部２３Ｂａと第２カウンタ２４Ｄをクリアする（ステップＳ１００）。すなわち、脈拍データ記憶部２３Ｂａの記憶内容を消去し、第２カウンタ２４Ｄをリセットする。
【００９３】
以後、第２生体情報検出センサ２０Ｄは、ステップＳ８４〜Ｓ９０、Ｓ９６〜Ｓ１００の処理を繰り返し実行する。
【００９４】
以上のように、第２生体情報検出センサ２０Ｄは、受信機３０が送信した第２絶対時刻情報を受信するごとに（ステップＳ９６）、第２カウンタ２４Ｄをクリアし（ステップＳ１００）、第２カウンタ２４Ｄのカウントアップを開始する（ステップＳ８４）。これにより、第２カウンタ２４Ｄをクリアすることなくカウントアップを継続する場合と比べ、カウント値の誤差を補正することができる。
【００９５】
受信機３０は、第１生体情報検出センサ２０Ｃが送信した心電図データ、第１絶対時刻情報及び第１カウント情報を受信した場合（ステップＳ６６）、例えば、ＡＣＫとともに、時計部３６から取得した第１絶対時刻情報を、第１生体情報検出センサ２０Ｃに送信する(ステップＳ６８)。第１生体情報検出センサ２０ＣのＣＰＵは、受信機３０が送信した第１絶対時刻情報を受信した場合（ステップＳ７０）、受信した第１絶対時刻情報を第１絶対時刻情報記憶部２３Ｃｂに記憶する（ステップＳ７２）。
【００９６】
また、受信機３０は、第２生体情報検出センサ２０Ｄが送信した脈拍データ、第２絶対時刻情報及び第２カウント情報を受信した場合（ステップＳ９２）、例えば、ＡＣＫとともに、時計部３６から取得した第２絶対時刻情報を、第２生体情報検出センサ２０Ｄに送信する(ステップＳ９４)。第２生体情報検出センサ２０ＤのＣＰＵは、受信機３０が送信した第２絶対時刻情報を受信した場合（ステップＳ９６）、受信した第２絶対時刻情報を第２絶対時刻情報記憶部２３Ｄｂに記憶する（ステップＳ９８）。
【００９７】
次に、受信機３０は、生体情報表示処理（ステップＳ１０２）を実行する。図１１は、生体情報表示処理を説明するためのフローチャートである。生体情報表示処理は、受信機３０が、心電図データと脈拍データとを同期させた状態でディスプレイ３１に表示する処理である。
【００９８】
具体的には、まず、受信機３０のＣＰＵは、ステップＳ６６で受信した第１絶対時刻情報及び第１カウント情報に基づいて、第１時刻を算出する（ステップＳ１０２２）。例えば、第１絶対時刻情報が１０：０１：００で、第１カウンタ２４Ｃが２ｍｓごとにカウントアップする場合、第１時刻は、１０：０１：００＋２ｍｓ×第１カウンタ２４Ｃのカウント値で算出することができる。なお、ステップＳ６６で第１絶対時刻情報及び第１カウント情報に基づいて算出した第１時刻を受信した場合、ステップＳ１０２２は、省略される。
【００９９】
次に、受信機３０のＣＰＵは、ステップＳ９２で受信した第２絶対時刻情報及び第２カウント情報に基づいて、第２時刻を算出する（ステップＳ１０２４）。例えば、第２絶対時刻情報が１０：１１：００で、第２カウンタ２４Ｄが２ｍｓごとにカウントアップする場合、第２時刻は、１０：１１：００＋２ｍｓ×第２カウンタ２４Ｄのカウント値で算出することができる。なお、ステップＳ９２で第２絶対時刻情報及び第２カウント情報に基づいて算出した第２時刻を受信した場合、ステップＳ１０２４は、省略される。
【０１００】
次に、受信機３０のＣＰＵは、心電図データの、第１時刻に対応する部分Ｃ３（図１２参照）が第１時刻を表す線Ｌ２上に位置し、脈拍データ中の、第２時刻に対応する部分Ｃ４（図１２参照）が、第２時刻を表す線Ｌ３上に位置するように、心電図データと脈拍データとをディスプレイ３１に表示する（ステップＳ１０２６）。すなわち、心電図データと脈拍データとを同期させた状態でディスプレイ３１に表示する。なお、線Ｌ２、Ｌ３は、ディスプレイ３１に表示してもよいし、非表示であってもよい。
【０１０１】
なお、心電図データの、第１時刻に対応する部分Ｃ３は、例えば、サンプリング周波数が５００Ｈｚで、第１カウンタ２４Ｃが２ｍｓごとにカウントアップする場合、サンプリングされた心電図データ（データ群）の先頭から第１カウンタ２４Ｃのカウント値番目のデータである。また、脈拍データ中の、第２時刻に対応する部分Ｃ４は、例えば、サンプリング周波数が５００Ｈｚで、第２カウンタ２４Ｄが２ｍｓごとにカウントアップする場合、サンプリングされた脈拍データ（データ群）の先頭から第２カウンタ２４Ｄのカウント値番目のデータである。
【０１０２】
以上説明したように、本実施形態によれば、第１及び第２生体情報検出センサ２０Ｃ、２０Ｄが、各々が検出した生体情報（心電図データや脈拍データ）をバラバラのタイミングで無線送信したとしても、生体情報の受信側である受信機３０が、各々の生体情報検出センサ２０Ｃ、２０Ｄが検出した生体情報（心電図データや脈拍データ）を同一時刻に検出された生体情報として扱うことができる。
【０１０３】
これは、ステップＳ６６で受信した第１絶対時刻情報及び第１カウント情報、並びに、ステップＳ９２で受信した第２絶対時刻情報及び第２カウント情報に基づいて（第１時刻及び第２時刻に基づいて）、心電図データと脈拍データとを同期させた状態でディスプレイ３１に表示することによるものである。
【０１０４】
［第３実施形態］
次に、本発明の第３実施形態である医用テレメータシステム１０Ｂについて添付図面を参照しながら説明する。各図において対応する構成要素には同一の符号が付され、重複する説明は省略される。
【０１０５】
図１に示すように、生体情報同期システム（以下、医用テレメータシステム１０Ｂという）は、第１生体情報検出センサ２０Ｅ、第２生体情報検出センサ２０Ｆ、及び、情報処理装置（以下、受信機３０という）等を備える。以下、第１生体情報検出センサ２０Ｅと第２生体情報検出センサ２０Ｆとを特に区別しない場合、生体情報検出センサ２０と記載する。
【０１０６】
図１３（ａ）は、第１生体情報検出センサ２０Ｅの概略ハード構成図である。
【０１０７】
本実施形態の第１生体情報検出センサ２０Ｅは、図１３（ａ）に示すように、上記第２実施形態の第１生体情報検出センサ２０Ｃの第１カウンタ２４Ｃを第１時計部２４Ｅに置き換えたものに相当する。
【０１０８】
図１３（ｂ）は、第２生体情報検出センサ２０Ｆの概略ハード構成図である。
【０１０９】
本実施形態の第２生体情報検出センサ２０Ｆは、上記第２実施形態の第２生体情報検出センサ２０Ｄの第２カウンタ２４Ｄを第２時計部２４Ｆに置き換えたものに相当する。それ以外、上記第２実施形態と同様の構成である。
【０１１０】
以下、第２実施形態との相違点を中心に説明する。
【０１１１】
第１時計部２４Ｅは、第１生体情報検出センサ２０Ｅが内蔵する時計で、例えば、リアルタイムクロックである。第１時計部２４Ｅは、無線通信部２６Ａが受信した第１絶対時刻情報（正確には、第１絶対時刻情報が表す時刻）から計時を開始する。具体的には、第１生体情報検出センサ２０Ｅ（制御部２５Ａ）は、受信機３０が送信した第１絶対時刻情報を無線通信部２６Ａが受信した場合、受信した第１絶対時刻情報を第１時計部２４Ｅに設定する。第１時計部２４Ｅは、設定された第１絶対時刻情報から計時を開始する。なお、第１時計部２４Ｅは、図示しないが、第１生体情報検出センサ２０Ｅの電源スイッチがオンの場合、内蔵電源（例えば、ボタン電池）から給電される（その結果、計時を行う）が、第１生体情報検出センサ２０Ｅの電源スイッチがオフの場合、省電力の観点から、給電されない（その結果、計時を行わない）。
【０１１２】
第２時計部２４Ｆは、第２生体情報検出センサ２０Ｆが内蔵する時計で、例えば、リアルタイムクロックである。第２時計部２４Ｆは、無線通信部２６Ｂが受信した第２絶対時刻情報（正確には、第２絶対時刻情報が表す時刻）から計時を開始する。具体的には、第２生体情報検出センサ２０Ｆ（制御部２５Ｂ）は、受信機３０が送信した第２絶対時刻情報を無線通信部２６Ｂが受信した場合、受信した第２絶対時刻情報を第２時計部２４Ｆに設定する。第２時計部２４Ｆは、設定された第２絶対時刻情報から計時を開始する。なお、第２時計部２４Ｆは、図示しないが、第２生体情報検出センサ２０Ｆの電源スイッチがオンの場合、内蔵電源（例えば、ボタン電池）から給電される（その結果、計時を行う）が、第２生体情報検出センサ２０Ｆの電源スイッチがオフの場合、省電力の観点から、給電されない（その結果、計時を行わない）。
【０１１３】
［医用テレメータシステム１０Ｂの動作例］
次に、上記構成の医用テレメータシステム１０Ｂの動作例について説明する。図１４、図１５は、医用テレメータシステム１０Ｂの動作を説明するためのシーケンス図である。
【０１１４】
以下の受信機３０の処理は、主に、受信機３０のＣＰＵが記憶部３３からＲＡＭに読み込まれた所定アプリケーションプログラム３３ａを実行することで実現される。また、以下の生体情報検出センサ２０の処理は、主に、生体情報検出センサ２０のＣＰＵが記憶部２３からＲＡＭに読み込まれた制御プログラムを実行することで実現される。
【０１１５】
まず、図１に示すように、第１生体情報検出センサ２０Ｅを患者５０に装着する（ステップＳ１１０）。
【０１１６】
次に、第１生体情報検出センサ２０Ｅの電源スイッチ（図示せず）をＯＮすると（ステップＳ１１２）、第１生体情報検出センサ２０Ｅは、第１時計部２４Ｅに給電を行う。これとともに、第１生体情報検出センサ２０Ｅは、受信機３０との間で規格に従った通信を行うことで、コネクションを確立する（ステップＳ１１４）。受信機３０は、コネクションを確立する過程で時計部３６から第１絶対時刻情報を取得し、取得した第１絶対時刻情報を第１生体情報検出センサ２０Ｅに送信する。
【０１１７】
第１生体情報検出センサ２０Ｅは、受信機３０が送信した第１絶対時刻情報を無線通信部２６Ａが受信した場合、受信した第１絶対時刻情報を第１時計部２４Ｅに設定する（ステップＳ１１６）。第１時計部２４Ｅは、設定された第１絶対時刻情報から計時を開始する（ステップＳ１１８）。これとともに、第１生体情報検出センサ２０Ｅは、生体情報検出部２１Ａが検出した患者５０の心電図データを心電図データ記憶部２３Ａａに記憶する（ステップＳ１２０）。
【０１１８】
次に、送信タイミングが到来した場合（ステップＳ１２２：Ｙｅｓ）、第１生体情報検出センサ２０ＥのＣＰＵは、記憶部２３Ａから心電図データを読み出し、第１時計部２４Ｅから第１時刻情報を取得し、読み出した心電図データ及び取得した第１時刻情報を無線通信部２６Ａを介して受信機３０に送信する（ステップＳ１２４）。なお、送信タイミングが到来するまで無線通信部２６Ａをスリープ状態とすることで、省電力を実現することができる。
【０１１９】
送信タイミングは、例えば、記憶部２３Ａに記憶された心電図データが閾値を超えたタイミングである。第１時刻情報は、例えば、記憶部２３Ａに記憶された心電図データが閾値を超えた時点での時刻を表す情報である。
【０１２０】
なお、ステップＳ１２０、Ｓ１２２を省略し、生体情報検出部２１Ａが検出した患者５０の心電図データ等を直接（記憶部２３Ａに記憶することなく）受信機３０に送信してもよい。
【０１２１】
次に、第１生体情報検出センサ２０Ｅは、心電図データ記憶部２３Ａａをクリアする（ステップＳ１２６）。すなわち、心電図データ記憶部２３Ａａの記憶内容を消去する。
【０１２２】
以後、第１生体情報検出センサ２０Ｅは、ステップＳ１１８〜Ｓ１２６の処理を繰り返し実行する。
【０１２３】
同様に、図１に示すように、第２生体情報検出センサ２０Ｆを患者５０に装着する（ステップＳ１２８）。
【０１２４】
次に、第２生体情報検出センサ２０Ｆの電源スイッチ（図示せず）をＯＮすると（ステップＳ１３０）、第２生体情報検出センサ２０Ｆは、第２時計部２４Ｆに給電を行う。これとともに、第２生体情報検出センサ２０Ｆは、受信機３０との間で規格に従った通信を行うことで、コネクションを確立する（ステップＳ１３２）。受信機３０は、コネクションを確立する過程で時計部３６から第２絶対時刻情報を取得し、取得した第２絶対時刻情報を第２生体情報検出センサ２０Ｆに送信する。
【０１２５】
第２生体情報検出センサ２０Ｆは、受信機３０が送信した第２絶対時刻情報を無線通信部２６Ｂが受信した場合、受信した第２絶対時刻情報を第２時計部２４Ｆに設定する（ステップＳ１３４）。第２時計部２４Ｆは、設定された第２絶対時刻情報から計時を開始する（ステップＳ１３６）。これとともに、第２生体情報検出センサ２０Ｆは、生体情報検出部２１Ｂが検出した患者５０の脈拍データを脈拍データ記憶部２３Ｂａに記憶する（ステップＳ１３８）。
【０１２６】
次に、送信タイミングが到来した場合（ステップＳ１４０：Ｙｅｓ）、第２生体情報検出センサ２０ＦのＣＰＵは、記憶部２３Ｂから脈拍データを読み出し、第２時計部２４Ｆから第２時刻情報を取得し、読み出した脈拍データ及び取得した第２時刻情報を無線通信部２６Ｂを介して受信機３０に送信する（ステップＳ１４２）。なお、送信タイミングが到来するまで無線通信部２６Ｂをスリープ状態とすることで、省電力を実現することができる。
【０１２７】
送信タイミングは、例えば、記憶部２３Ｂに記憶された脈拍データが閾値を超えたタイミングである。第２時刻情報は、例えば、記憶部２３Ｂに記憶された脈拍データが閾値を超えた時点での時刻を表す情報である。
【０１２８】
なお、ステップＳ１３８、Ｓ１４０を省略し、生体情報検出部２１Ｂが検出した患者５０の脈拍データ等を直接（記憶部２３Ｂに記憶することなく）受信機３０に送信してもよい。
【０１２９】
次に、第２生体情報検出センサ２０Ｆは、脈拍データ記憶部２３Ｂａをクリアする（ステップＳ１４４）。すなわち、脈拍データ記憶部２３Ｂａの記憶内容を消去する。
【０１３０】
以後、第２生体情報検出センサ２０Ｆは、ステップＳ１３６〜Ｓ１４４の処理を繰り返し実行する。
【０１３１】
受信機３０は、第１生体情報検出センサ２０Ｅが送信した心電図データ及び第１時刻情報を受信し（ステップＳ１４６）、かつ、第２生体情報検出センサ２０Ｆが送信した脈拍データ及び第２時刻情報を受信した場合（ステップＳ１４８）、生体情報表示処理（ステップＳ１５０）を実行する。生体情報表示処理は、受信機３０が、心電図データと脈拍データとを同期させた状態でディスプレイ３１に表示する処理である。
【０１３２】
具体的には、受信機３０のＣＰＵは、心電図データの、第１時刻（第１時刻情報が表す時刻）に対応する部分Ｃ５（図１６参照）が第１時刻を表す線Ｌ４上に位置し、脈拍データ中の、第２時刻（第２時刻情報が表す時刻）に対応する部分Ｃ６（図１６参照）が、第２時刻を表す線Ｌ５上に位置するように、心電図データと脈拍データとをディスプレイ３１に表示する。すなわち、心電図データと脈拍データとを同期させた状態でディスプレイ３１に表示する。なお、線Ｌ４、Ｌ５は、ディスプレイ３１に表示してもよいし、非表示であってもよい。
【０１３３】
以上説明したように、本実施形態によれば、第１及び第２生体情報検出センサ２０Ｅ、２０Ｆが、各々が検出した生体情報（心電図データや脈拍データ）をバラバラのタイミングで無線送信したとしても、生体情報の受信側である受信機３０が、各々の生体情報検出センサ２０Ｅ、２０Ｆが検出した生体情報（心電図データや脈拍データ）を同一時刻に検出された生体情報として扱うことができる。
【０１３４】
これは、ステップＳ１４６で受信した第１時刻情報及びステップＳ１４８で受信した第２時刻情報に基づいて、心電図データと脈拍データとを同期させた状態でディスプレイ３１に表示することによるものである。
【０１３５】
［第４実施形態］
次に、本発明の第４実施形態である医用テレメータシステム１０Ｃについて添付図面を参照しながら説明する。各図において対応する構成要素には同一の符号が付され、重複する説明は省略される。
【０１３６】
図１に示すように、生体情報同期システム（以下、医用テレメータシステム１０Ｃという）は、第１生体情報検出センサ２０Ｇ、第２生体情報検出センサ２０Ｈ、及び、情報処理装置（以下、受信機３０という）等を備える。以下、第１生体情報検出センサ２０Ｇと第２生体情報検出センサ２０Ｈとを特に区別しない場合、生体情報検出センサ２０と記載する。
【０１３７】
図１７（ａ）は、第１生体情報検出センサ２０Ｇの概略ハード構成図である。
【０１３８】
本実施形態の第１生体情報検出センサ２０Ｇは、図１７（ａ）に示すように、上記第２実施形態の第１生体情報検出センサ２０Ｃの第１カウンタ２４Ｃを省略したものに相当する。
【０１３９】
図１７（ｂ）は、第２生体情報検出センサ２０Ｆの概略ハード構成図である。
【０１４０】
本実施形態の第２生体情報検出センサ２０Ｈは、上記第２実施形態の第２生体情報検出センサ２０Ｄの第２カウンタ２４Ｄを省略したものに相当する。それ以外、上記第２実施形態と同様の構成である。
【０１４１】
以下、第２実施形態との相違点を中心に説明する。
【０１４２】
［医用テレメータシステム１０Ｃの動作例］
次に、上記構成の医用テレメータシステム１０Ｃの動作例について説明する。図１８、図１９は、医用テレメータシステム１０Ｃの動作を説明するためのシーケンス図である。
【０１４３】
以下の受信機３０の処理は、主に、受信機３０のＣＰＵが記憶部３３からＲＡＭに読み込まれた所定アプリケーションプログラム３３ａを実行することで実現される。また、以下の生体情報検出センサ２０の処理は、主に、生体情報検出センサ２０のＣＰＵが記憶部２３からＲＡＭに読み込まれた制御プログラムを実行することで実現される。
【０１４４】
まず、図１に示すように、第１生体情報検出センサ２０Ｇを患者５０に装着する（ステップＳ１６０）。
【０１４５】
次に、第１生体情報検出センサ２０Ｇの電源スイッチ（図示せず）をＯＮすると（ステップＳ１６２）、第１生体情報検出センサ２０Ｇは、受信機３０との間で規格に従った通信を行うことで、コネクションを確立する（ステップＳ１６４）。受信機３０は、コネクションを確立する過程で時計部３６から第１絶対時刻情報を取得し、取得した第１絶対時刻情報を第１生体情報検出センサ２０Ｇに送信する。
【０１４６】
第１生体情報検出センサ２０Ｇは、受信機３０が送信した第１絶対時刻情報を無線通信部２６Ａが受信した場合、受信した第１絶対時刻情報を第１絶対時刻情報記憶部２３Ｃｂに記憶する（ステップＳ１６６）。これとともに、第１生体情報検出センサ２０Ｇは、生体情報検出部２１Ａが検出した患者５０の心電図データを心電図データ記憶部２３Ａａに記憶する（ステップＳ１６８）。この場合、第１絶対時刻情報は、例えば、心電図データの記憶を開始した時点での時刻（つまり、心電図データの先頭の時刻）を表す。
【０１４７】
次に、送信タイミングが到来した場合（ステップＳ１７０：Ｙｅｓ）、第１生体情報検出センサ２０ＧのＣＰＵは、記憶部２３Ａから心電図データ及び第１絶対時刻情報を読み出し、読み出した心電図データ及び第１絶対時刻情報を無線通信部２６Ａを介して受信機３０に送信する（ステップＳ１７２）。なお、送信タイミングが到来するまで無線通信部２６Ａをスリープ状態とすることで、省電力を実現することができる。
【０１４８】
送信タイミングは、例えば、記憶部２３Ａに記憶された心電図データが閾値を超えたタイミングである。
【０１４９】
なお、ステップＳ１６８、Ｓ１７０を省略し、生体情報検出部２１Ａが検出した患者５０の心電図データ等を直接（記憶部２３Ａに記憶することなく）受信機３０に送信してもよい。
【０１５０】
次に、第１生体情報検出センサ２０Ｇは、心電図データ記憶部２３Ａａをクリアする（ステップＳ１７４）。すなわち、心電図データ記憶部２３Ａａの記憶内容を消去する。
【０１５１】
以後、第１生体情報検出センサ２０Ｇは、ステップＳ１６８〜Ｓ１７４の処理を繰り返し実行する。
【０１５２】
同様に、図１に示すように、第２生体情報検出センサ２０Ｈを患者５０に装着する（ステップＳ１７６）。
【０１５３】
次に、第２生体情報検出センサ２０Ｈの電源スイッチ（図示せず）をＯＮすると（ステップＳ１７８）、第２生体情報検出センサ２０Ｈは、受信機３０との間で規格に従った通信を行うことで、コネクションを確立する（ステップＳ１８０）。受信機３０は、コネクションを確立する過程で時計部３６から第２絶対時刻情報を取得し、取得した第２絶対時刻情報を第２生体情報検出センサ２０Ｈに送信する。
【０１５４】
第２生体情報検出センサ２０Ｈは、受信機３０が送信した第２絶対時刻情報を無線通信部２６Ｂが受信した場合、受信した第２絶対時刻情報を第２絶対時刻情報記憶部２３Ｄｂに記憶する（ステップＳ１８２）。これとともに、第２生体情報検出センサ２０Ｈは、生体情報検出部２１Ｂが検出した患者５０の脈拍データを脈拍データ記憶部２３Ｂａに記憶する（ステップＳ１８４）。この場合、第２絶対時刻情報は、例えば、脈拍データの記憶を開始した時点での時刻（つまり、脈拍データの先頭の時刻）を表す。
【０１５５】
次に、送信タイミングが到来した場合（ステップＳ１８６：Ｙｅｓ）、第２生体情報検出センサ２０ＨのＣＰＵは、記憶部２３Ｂから脈拍データ及び第１絶対時刻情報を読み出し、読み出した脈拍データ及び第２絶対時刻情報を無線通信部２６Ｂを介して受信機３０に送信する（ステップＳ１８８）。なお、送信タイミングが到来するまで無線通信部２６Ｂをスリープ状態とすることで、省電力を実現することができる。
【０１５６】
送信タイミングは、例えば、記憶部２３Ｂに記憶された脈拍データが閾値を超えたタイミングである。
【０１５７】
なお、ステップＳ１８４、Ｓ１８６を省略し、生体情報検出部２１Ｂが検出した患者５０の脈拍データ等を直接（記憶部２３Ｂに記憶することなく）受信機３０に送信してもよい。
【０１５８】
次に、第２生体情報検出センサ２０Ｈは、脈拍データ記憶部２３Ｂａをクリアする（ステップＳ１９０）。すなわち、脈拍データ記憶部２３Ｂａの記憶内容を消去する。
【０１５９】
以後、第２生体情報検出センサ２０Ｈは、ステップＳ１８４〜Ｓ１９０の処理を繰り返し実行する。
【０１６０】
受信機３０は、第１生体情報検出センサ２０Ｇが送信した心電図データ及び第１絶対時刻情報を受信し（ステップＳ１９２）、かつ、第２生体情報検出センサ２０Ｈが送信した脈拍データ及び第２絶対時刻情報を受信した場合（ステップＳ１９４）、生体情報表示処理（ステップＳ１９６）を実行する。生体情報表示処理は、受信機３０が、心電図データと脈拍データとを同期させた状態でディスプレイ３１に表示する処理である。
【０１６１】
具体的には、受信機３０のＣＰＵは、心電図データの、第１時刻（第１絶対時刻情報が表す時刻）に対応する部分Ｃ７（図２０参照）が第１時刻を表す線Ｌ６上に位置し、脈拍データ中の、第２時刻（第２絶対時刻情報が表す時刻）に対応する部分Ｃ８（図２０参照）が、第２時刻を表す線Ｌ７上に位置するように、心電図データと脈拍データとをディスプレイ３１に表示する。すなわち、心電図データと脈拍データとを同期させた状態でディスプレイ３１に表示する。なお、線Ｌ６、Ｌ７は、ディスプレイ３１に表示してもよいし、非表示であってもよい。
【０１６２】
以上説明したように、本実施形態によれば、第１及び第２生体情報検出センサ２０Ｇ、２０Ｈが、各々が検出した生体情報（心電図データや脈拍データ）をバラバラのタイミングで無線送信したとしても、生体情報の受信側である受信機３０が、各々の生体情報検出センサ２０Ｇ、２０Ｈが検出した生体情報（心電図データや脈拍データ）を同一時刻に検出された生体情報として扱うことができる。
【０１６３】
これは、ステップＳ１９２で受信した第１絶対時刻情報及びステップＳ１９４で受信した第２絶対時刻情報に基づいて、心電図データと脈拍データとを同期させた状態でディスプレイ３１に表示することによるものである。
【０１６４】
次に、変形例について説明する。
【０１６５】
上記各実施形態では、第１生体情報検出センサ２０Ａ（２０Ｃ）として、患者５０の心電図を検出する生体情報検出センサを用い、第２生体情報検出センサ２０Ｂ（２０Ｄ）として、患者５０の脈拍を検出する生体情報検出センサを用いた例について説明したが、これに限らない。例えば、第１生体情報検出センサ２０Ａ（２０Ｃ）として、他の生体情報（例えば、患者５０の体温）を検出する生体情報検出センサを用い、第２生体情報検出センサ２０Ｂ（２０Ｄ）として、他の生体情報（例えば、患者５０の血圧）を検出する生体情報検出センサを用いてもよい。
【０１６６】
また、上記各実施形態では、２つの生体情報検出センサ（第１生体情報検出センサ２０Ａ（２０Ｃ）及び第２生体情報検出センサ２０Ｂ（２０Ｄ））を用いた例について説明したが、これに限らない。例えば、３つ以上の生体情報検出センサを用いてもよい。
【０１６７】
また、上記各実施形態では、無線通信部２６Ａ、２６Ｂ、３５として、ＢＬＥ（Bluetooth Low Energy）技術に対応できる通信モジュール（例えば、ＢＬＥモジュール）を用いた例について説明したが、これに限らない。例えば、無線通信部２６Ａ、２６Ｂ、３５として、無線ＬＡＮ技術に対応できる通信モジュール（例えば、無線ＬＡＮモジュール）を用いてもよい。
【０１６８】
また、上記第１実施形態では、動き検出センサとして、加速度センサ（第１加速度センサ２４Ａ及び第２加速度センサ２４Ｂ）を用いた例について説明したが、これに限らない。すなわち、動き検出センサとして、角速度センサその他、患者５０の動きを検出できるセンサを用いてもよい。
【０１６９】
上記実施形態で示した各数値は全て例示であり、これと異なる適宜の数値を用いることができるのは無論である。
【０１７０】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【０１７１】
１０、１０Ａ、１０Ｂ…医用テレメータシステム、２０（２０Ａ〜２０Ｆ）…生体情報検出センサ、２１Ａ、２１Ｂ…生体情報検出部、２２Ａ、２２Ｂ…センサ入力部、２３、２３Ａ…記憶部、２３Ａａ…心電図データ記憶部、２３Ａｂ…第１加速度データ記憶部、２３Ｂ…記憶部、２３Ｂａ…脈拍データ記憶部、２３Ｂｂ…第２加速度データ記憶部、２３Ｃｂ…第１絶対時刻情報記憶部、２３Ｄｂ…第２絶対時刻情報記憶部、２４Ａ…第１加速度センサ、２４Ｂ…第２加速度センサ、２４Ｃ…第１カウンタ、２４Ｄ…第２カウンタ、２４Ｅ…第１時計部、２４Ｆ…第２時計部、２５Ａ…制御部、２５Ｂ…制御部、２６…無線通信部、２６Ａ…無線通信部、２６Ａａ…アンテナ、２６Ｂ…無線通信部、２６Ｂａ…アンテナ、３０…受信機、３１…ディスプレイ、３２…表示制御部、３３…記憶部、３３ａ…所定アプリケーションプログラム、３４…制御部、３５…無線通信部、３５ａ…アンテナ、３６…時計部、５０…患者、６０…パッド、Ｆ１…第１特徴部、Ｆ２…第２特徴部
【図１】
2019024511.tif 000003
【図２】
2019024511.tif 000004
【図３】
2019024511.tif 000005
【図４】
2019024511.tif 000006
【図５】
2019024511.tif 000007
【図６】
2019024511.tif 000008
【図７】
2019024511.tif 000009
【図８】
2019024511.tif 000010
【図９】
2019024511.tif 000011
【図１０】
2019024511.tif 000012
【図１１】
2019024511.tif 000013
【図１２】
2019024511.tif 000014
【図１３】
2019024511.tif 000015
【図１４】
2019024511.tif 000016
【図１５】
2019024511.tif 000017
【図１６】
2019024511.tif 000018
【図１７】
2019024511.tif 000019
【図１８】
2019024511.tif 000020
【図１９】
2019024511.tif 000021
【図２０】
2019024511.tif 000022